(57)【特許請求の範囲】
【請求項１】
履物着用者の足裏の下側に敷設される履物用のクッション材において、
基板、突起、外側突起及び内側突起を備え、
前記基板、突起、外側突起及び内側突起は弾性材で一体成形されており、
前記基板は薄板状であり、
前記突起、外側突起及び内側突起は、前記履物着用者の足裏側となる上面と反対側の下面に突出しており、
前記突起は基板のうち前記履物着用者の足の踵骨前方凹部を押し上げる位置に設けられ、
前記外側突起は前記突起よりも幅方向外側であって、前記履物着用者の足の外側縦アーチ部を支える位置に設けられ、
前記内側突起は前記突起よりも幅方向内側であって、前記履物着用者の足の内側縦アーチ部を支える位置に設けられ、
前記突起は前記踵骨前方凹部を押し上げ可能な高さである、
ことを特徴とするクッション材。
【請求項２】
請求項１記載のクッション材において、
基板の下面後方部に窪み部があり、
前記窪み部は、基板のうち履物着用者の踵があたる部位にあり、当該踵が落ち込み可能な大きさと深さである、
ことを特徴とするクッション材。
【請求項３】
請求項１又は請求項２記載のクッション材において、
基板の上面が平面状である、
ことを特徴とするクッション材。
【請求項４】
履物に敷設する中敷きにおいて、
中敷きの裏面に請求項１から請求項３のいずれか１項に記載のクッション材が貼り付けられ、
前記クッション材はその上面が中敷きの裏面に貼り付けられた、
ことを特徴とするクッション材付き中敷き。
【請求項５】
クッション材が履物着用者の足裏の下側に敷設された履物において、
前記クッション材が請求項１から請求項３のいずれか１項に記載のクッション材であり、
前記クッション材は、突起が突出した裏面側を下向きにして敷設され、
履物着用者の足の踵骨前方凹部がクッション材の基板の上から突起にあたって、前記踵骨前方凹部が押し上げられるようにした、
ことを特徴とするクッション材付き履物。
【請求項６】
中敷きが履物着用者の足裏の下側に敷設された履物において、
前記中敷きが請求項４記載のクッション材付き中敷きであり、
前記クッション材付き中敷きは、クッション材の突起が突出した裏面側を下向きにして敷設され、
履物着用者の足の踵骨前方凹部が中敷きの上からクッション材の突起にあたって、前記踵骨前方凹部が押し上げられるようにした、
ことを特徴とするクッション材付き履物。
【請求項７】
請求項５又は請求項６記載のクッション材付き履物において、
履物着用者の足の踵がクッション材の凹部に落ち込むことにより、クッション材の基板が踵骨前方凹部と踵で挟まれて上方に湾曲して、踵骨前方凹部に突起が圧接するようにした、
ことを特徴とするクッション材付き履物。
【発明の詳細な説明】
【技術分野】
【０００１】
本発明は、紳士靴や婦人靴等の各種履物の中底と中敷きの間に敷設するクッション材と、クッション材が貼り付けられたクッション材付き中敷きと、クッション材付き履物に関するものである。
【背景技術】
【０００２】
足に関する疾病として、親指が小指側に曲がる外反母趾や爪が巻き込まれる巻き爪等が知られている。これらの疾病を患うのは、先の細い履物を使用する女性に多かったが、近年では、男性の罹患者数も増加傾向にある。これらの疾病の原因は様々であるが、その原因の一つとして、足が履物内で爪先側に移動する、いわゆる「前すべり」があげられる。一般的に、紳士靴や婦人靴のような履物は爪先側よりも踵側が高いため、履物内での足の前すべりが起こりやすい。また、近年では、足の甲が低い男性も増えており、紐をきつく締めても足の甲と履物の甲部分の間に隙間が生じてしまうことがあり、このような場合にも履物内での足の前すべりが起こりやすい。
【０００３】
従来、履物内での足の前すべりを防止するものとして、足の中足骨を下側から支持する中足骨支持部付きの中敷き（特許文献１）や、立方骨を支持する立方骨支持部材及び踵骨の前部を支持する踵骨前部支持部材を備えた中敷き（特許文献２、３）などが提案されている。
【先行技術文献】
【特許文献】
【０００４】
【特許文献１】特開２００７−１７５５３２号公報
【特許文献２】特許第５４９８６３１号公報
【特許文献３】特開２００５−１３６８２号公報
【発明の概要】
【発明が解決しようとする課題】
【０００５】
本発明の解決課題は、履物内での足の前すべりを防止することのできるクッション材、クッション材を備えた中敷き、及びクッション材を備えたクッション材付き履物を提供することにある。
【課題を解決するための手段】
【０００６】
本発明のクッション材、クッション材付き中敷き、クッション材付き履物は、クッション材の踵骨前方凹部に当たる部位に突起を設けて、履物着用者の踵骨前方凹部が押し上げられるようにしたものである。
【発明の効果】
【０００７】
本発明によれば、クッション材の踵骨前方凹部に当たる部位に設けた突起によって、履物着用者の踵骨前方凹部を押し上げて、足の甲が履物の甲部分の内側（ベロ）に当接するようにしたため、履物内での足の前すべりが確実に防止され、足の前すべりを原因とする各種疾病を予防することができる。
【図面の簡単な説明】
【０００８】
【図１】本発明のクッション材が敷設された履物の一例を示す概要説明図。
【図２】本発明のクッション材の一例を示すものであって、（ａ）は平面図、（ｂ）は底面図、（ｃ）は右側面図、（ｄ）は左側面図、（ｅ）は正面図、（ｆ）は背面図。
【図３】本発明のクッション材を履物に敷設した場合の突起、外側突起及び内側突起の位置関係説明図。
【図４】（ａ）は図２（ａ）のＸ−Ｘ断面図、（ｂ）は図２（ａ）のＹ−Ｙ断面図。
【図５】本発明のクッション材付き中敷きの一例を示すものであって、（ａ）は平面図、（ｂ）は（ａ）の左側面図。
【図６】（ａ）及び（ｂ）は、本発明のクッション材、クッション材付き中敷き、及びクッション材付き履物の作用説明図。
【発明を実施するための形態】
【０００９】
（クッション材の実施形態）
本発明のクッション材１の一例を、図面を参照して説明する。ここでは、左足用のクッション材を一例として説明する。右足用のクッション材は左足用のクッション材と対称である。なお、説明の便宜上、本願では、履物の爪先側を先、踵側を後、小指側を外、親指側を内、履き口側を上又は表、本底側を下又は裏として説明を行うこととする。
【００１０】
本発明のクッション材１は履物着用者の足裏の下側、例えば、図１に示すように、本発明のクッション材１は履物２の中底３と中敷き４の間に敷設されるものである。クッション材１は中底３と中敷き４の双方又はいずれか一方に貼り付けることも、いずれにも貼り付けずに中底３と中敷き４の間に配置することもできる。クッション材１は中敷き４の上に敷設することもできる。一例として図２（ａ）〜（ｆ）に示すクッション材１は、基板５と突起６が弾性材で一体成形されたものである。クッション材１の材質は、例えば、ポリウレタンなどの各種樹脂やゴムなどが適する。基板５は薄板状であり、図２（ａ）のように平面から見たときに、踵部１ａが弧状に湾曲し、その踵部１ａから先方に向けて連続する外側の周縁（外側縁）１ｂ及び内側の周縁（内側縁）１ｃは略直線状であり、外側縁１ｂ及び内側縁１ｃの先方側に丸山状に突き出した湾曲部１ｄを備えた外郭形状をしている。
【００１１】
図２（ｃ）（ｄ）に示すように、この実施形態のクッション材１は、基板５の表面５ａ側を平面状として、クッション材１を中敷き４に貼り付けやすくしてある。前記突起６は基板５の裏面５ｂ側に突出するようにしてある。突起６を履物２の中底３側に設けることで、突起６が履物着用者の足に直接触れないようにして、履物着用時に違和感がないようにしてある。基板５の表面５ａは、中敷き４への貼り付けに支障がなければ、横溝や縦溝、菱形模様の溝、その他の模様の溝を設けたり、突起を設けたりすることもできる。
【００１２】
前記突起６は、図３に示すように、クッション材１を履物２に敷設した際に、履物着用者の足の踵骨前方凹部Ｐ（図６（ｂ））にあたる部位に設けられている。この実施形態の突起６は基板５側から次第に盛り上がる楕円形の略円錐状であり、頂部を滑らかな曲面としてある。突起６の高さは、履物着用者の足の踵骨前方凹部Ｐを押し上げ可能な高さとしてある。突起６は、履物着用者の踵骨前方凹部Ｐにフィットしやすい形状としてある。具体的には、図２（ｂ）に示すように、クッション材１を裏面側から見たときに、幅狭な爪先側から突起６の中ほどに向けて次第に幅広となり、その幅広部から更に踵側にむけて次第に先細りとなるような形状としてある。突起６の厚さは、図２（ｃ）（ｄ）に示すように、クッション材１を側面から見たときに、肉薄な爪先側から突起後方側に向けて次第に肉厚となり、その肉厚部分から更に突起後方に向けてなだらかに肉薄となるようにしてある。突起は前後及び左右が非対称となるようにしてある。
【００１３】
図２（ｂ）〜（ｆ）及び図４（ａ）（ｂ）に示すように、この実施形態では、踵骨前方凹部Ｐに当たる突起６のほか、足の外側縦アーチ部に当たる外側突起７と足の内側縦アーチ部に当たる内側突起８が、突起６と同方向に突設されている。外側突起７は、図４（ａ）に示すように、クッション材１の外側縁から立ち上がる立ち上がり面７ａがクッション材１の中心側に向けて斜めになるようにしてあり、その立ち上がり面７ａの頂部７ｂからなだらかに傾斜するような形状としてある。外側突起７はクッション材１の外側縁の直線部の略全長に設けてある。内側突起８は、図４（ａ）のように、クッション材１の内側縁１ｃから立ち上がる立ち上がり面８ａがクッション材１の中心側に向けて斜めになるようにしてあり、その立ち上がり面８ａの頂部８ｂからなだらかに傾斜するような形状としてある。内側突起８は、クッション材１の内側縁１ｃの直線部の略全長に設けてある。図４（ａ）に示すように、外側突起７と内側突起８の高さは、内側突起８の方が外側突起７よりも高くなるようにしてある。
【００１４】
基板５の裏面５ｂの踵部には、履物着用者の踵が落ち込み可能な窪み部９が設けられている。窪み部９は、基板５の他の部分よりも肉薄としてあり、履物着用者の踵が窪み部９に収まることによって、踵が安定し、履物２内で足が前すべりし難くなるという効果がある。窪み部９は、踵が落ち込み可能な大きさと深さとしてある。
【００１５】
図４（ｂ）に示すように、クッション材１の幅方向中央部のうち、突起６と外側突起７及び内側突起８並びに窪み部９の内側の領域（中央領域）１０は、突起６と外側突起７及び内側突起８よりも肉薄であり、窪み部９よりも肉厚となるようにしてある。中央領域１０は、履物着用者の体重がかかったときに、クッション材１の形状に追従して変形するようにしてある。
【００１６】
（クッション材付き中敷きの実施形態）
本発明のクッション材付き中敷き１１の一例を、図面を参照して説明する。このクッション材付き中敷き１１は履物２の中底３の上に敷設する中敷き４である。中敷き４は、革製や人工皮革製、布製といった各種材質製とすることができる。一例として図５（ａ）（ｂ）に示すクッション材付き中敷き１１は、半敷き（中底３の半分程度を被覆する構造の中敷き４）の裏面に、前記クッション材の実施形態で説明したクッション材１が貼り付けられたものである。クッション材１は、平滑な表面５ａが中敷き４の裏面４ａに貼り付けられ、中敷き４の下側に突起６、外側突起７、内側突起８などが突出するようにしてある。この実施形態では、中敷き４が半敷きの場合を一例としているが、中敷き４は全敷き（中底３の全体を被覆する形状の中敷き４）であってもよい。
【００１７】
（クッション材付き履物の実施形態）
本発明のクッション材付き履物１２の一例を、図面を参照して説明する。本発明のクッション材付き履物１２は、中底３の上側に中敷き４が敷設されたものである。一例として図１に示すクッション材付き履物１２は、紳士用の革靴であり、中底３の上側に前記クッション材付き中敷きの実施形態で説明したクッション材付き中敷き１１が敷設されたものである。クッション材付き中敷き１１は、クッション材１を中底３側にして敷設してある。この実施形態では、中底３の上に前記クッション材付き中敷き１１を敷設した場合を一例としているが、本発明のクッション材付き履物１２は、中底３の上にクッション材１と中敷き４を別々に敷設したものであってもよい。クッション材１と中敷き４を別々の構成とした場合、クッション材１だけの交換ができるなどのメリットがある。
【００１８】
（作用）
本発明のクッション材１、クッション材付き中敷き１１、及びクッション材付き履物１２の作用について、図面を参照して説明する。図６（ａ）（ｂ）に示すように、クッション材１を備えた履物２に足を入れると、履物着用者の体重によって中敷き４がクッション材１の形状に追従して変形し、その履物着用者の足の踵骨前方凹部Ｐが中敷き４の上からクッション材１の突起６に当たって、前記踵骨前方凹部Ｐが押し上げられる。これにより、履物着用者の足の甲が履物の甲部分の内側に当接し、履物内での足の前すべりが防止される。クッション材１には踵が収まる窪み部９と、足の外側縦アーチ部を支持する外側突起７、及び内側縦アーチ部を支持する内側突起８が設けられているため、履物着用者の足裏が安定して支持され、足に負担のかからない状態で、足の甲を履物２の甲部分へ当接する。このように、突起６、外側突起７、内側突起８及び窪み部９の相互が関わりあうことによって、履物２内の足が安定し、履物２内での足の前すべりが防止される。
【産業上の利用可能性】
【００１９】
本発明は革製の紳士靴に限らず、革製の婦人靴や子供靴、カジュアルシューズ、ブーツ、サンダルなど、前すべりが生じる様々な履物に適用することができる。
【符号の説明】
【００２０】
１    クッション材
１ａ  踵部
１ｂ  外側縁
１ｃ  内側縁
１ｄ  湾曲部
２    履物
３    中底
４    中敷き
４ａ  （中敷きの）裏面
５    基板
５ａ  （基板の）表面
５ｂ  （基板の）裏面
６    突起
７    外側突起
７ａ  （外側突起の）立ち上がり面
７ｂ  （外側突起の）頂部
８    内側突起
８ａ  （内側突起の）立ち上がり面
８ｂ  （内側突起の）頂部
９    窪み部
１０  中央領域
１１  クッション材付き中敷き
１２  クッション材付き履物
Ｐ    踵骨前方凹部
【図１】
0006647046.tif 000002
【図２】
0006647046.tif 000003
【図３】
0006647046.tif 000004
【図４】
0006647046.tif 000005
【図５】
0006647046.tif 000006
【図６】
0006647046.tif 000007